(57)【特許請求の範囲】
【請求項１】
加入者情報を管理する加入者情報管理装置と、前記加入者情報管理装置に保有される加入者情報に含まれる契約情報もしくは移動機情報および移動機に保有される移動機識別子に基づいて、前記移動機の移動性に従って、前記移動機の位置登録の周期を決定し該決定した位置登録の周期を規定する位置登録周期規定指令を該当する各移動機に供給する位置登録周期規定ノードと、を含むことを特徴とする移動通信システム。
【請求項２】
前記位置登録周期規定ノードはＭＳＣ（Mobile Switching Center）であることを特徴とする請求項１に記載の移動通信システム。
【請求項３】
前記位置登録周期規定ノードはＳＧＳＮ（Serving General packet radio service Support Node）であることを特徴とする請求項１に記載の移動通信システム。
【請求項４】
前記加入者情報管理装置は、ＨＬＲ（Home Location Register）またはＶＬＲ（Visitor Location Register）であることを特徴とする請求項１に記載の移動通信システム。
【請求項５】
前記位置登録周期規定ノードは、前記加入者情報に含まれる契約情報もしくは移動機情報および前記移動機の移動機識別子によって当該移動機の移動性が相対的に低いものとして規定されているときには位置登録の周期を通常の携帯電話機の場合よりも長く規定するように前記位置登録周期規定指令を生成することを特徴とする請求項１に記載の移動通信システム。
【請求項６】
所定の加入者情報管理装置で管理される加入者情報に含まれる契約情報もしくは移動機情報および移動機の位置登録の際に前記移動機から取得される移動機識別子に基づいて、前記移動機の移動性に従って該当する各移動機の位置登録の周期を決定する位置登録周期決定手段と、前記位置登録周期決定手段によって決定された位置登録周期を規定する位置登録規定指令を該当する各移動機に供給する位置登録規定指令供給手段と、を含むことを特徴とする位置登録周期規定ノード。
【請求項７】
ＭＳＣ（Mobile Switching Center）として構成されていることを特徴とする請求項６に記載の位置登録周期規定ノード。
【請求項８】
ＳＧＳＮ（Serving General packet radio service Support Node）として構成されていることを特徴とする請求項６に記載の位置登録周期規定ノード。
【請求項９】
前記位置登録周期決定手段は、前記加入者情報に含まれる契約情報もしくは移動機情報および前記移動機の前記移動機識別子によって当該移動機の前記移動性が相対的に低いものとして規定されているときには位置登録の周期が通常の携帯電話機の場合よりも長くなるように該周期を決定することを特徴とする請求項６に記載の位置登録周期規定ノード。
【請求項１０】
所定の加入者情報に含まれる契約情報もしくは移動機情報および移動機に保有される移動機識別子に基づいて該当する各移動機の位置登録の周期を決定する位置登録周期決定手段と、前記位置登録周期決定手段によって決定された位置登録周期を規定する位置登録規定指令を該当する各移動機に供給する位置登録規定指令供給手段と、を含む上位ノードから位置登録の周期を規定する位置登録周期規定指令の供給を受けて該位置登録周期規定指令に応じて前記加入者情報に含まれる契約情報もしくは移動機情報および自機に保有される移動機識別子に対応した自機の位置登録実行周期をタイマに設定する位置登録被設定手段と、前記位置登録被設定手段により位置登録実行周期が設定されて以降、当該タイマに設定された、前記加入者情報に含まれる契約情報もしくは移動機情報および自機に保有される移動機識別子に対応した位置登録実行周期で、位置登録を実行する位置登録実行手段とを有することを特徴とする移動機。
【請求項１１】
該当する加入者情報に含まれる契約情報もしくは移動機情報および移動機に保有される移動機識別子に基づいて当該各移動機の位置登録実行周期を決定することを特徴とする移動通信の位置登録方法。
【請求項１２】
当該各移動機の位置登録実行周期の決定はＭＳＣ（Mobile Switching Center）において行なうことを特徴とする請求項１１に記載の移動通信の位置登録方法。
【発明の詳細な説明】
【技術分野】
【０００１】
本発明は、移動通信システム、位置登録周期規定ノード、移動機、および、移動通信の位置登録方法に関する。
【背景技術】
【０００２】
周知の通り、移動通信システムでは、各移動機は位置登録のための動作（位置登録要求の発信）を行なう。位置登録は、移動通信システムに当該移動機が未登録の状態であるときに初回の位置登録として実行され、その後、移動機が位置登録エリア（セル）を跨って移動した場合にもこの位置登録が行なわれる。
初回の位置登録に際して、それ以降の時点において移動通信システムに登録された位置と現実の位置の不一致が発生しないように、移動機には一定の位置登録周期が設定される。  
この設定の後、移動機はこの位置登録周期を維持して繰り返し位置登録動作を実行する。
【０００３】
従来の移動通信システムでは、上述における位置登録周期は、移動機に係る加入者情報の如何に依らず画一的に規定される。
３ＧＰＰ（3rd Generation Partnership Projects）勧告に準拠した移動通信システムにおける位置登録制御では、移動通信システムに登録された移動機の位置と現実の位置との間に齟齬が生じないように、移動機が位置登録エリアを跨らない場合であっても、移動機は移動通信システムから指示された周期で位置登録を継続的に繰り返し実行する。
他方、近年、移動機としての機能を保有する無線端末装置が例えば飲料やたばこ等の自動販売機に備えられ、在庫管理や購入者の認証に用いられるようなケースが増えつつある。
【０００４】
上述のようなケースでは、旧来のように専ら運用者の経験に依存して自動販売機での販売品目の補充等を行なうに替えて、現実の在庫に見合った補充作業を行うことが可能になり、また、セキュリティの確保についても一定の効果を収めるに到っている。
移動機に関するこのような応用的利用技術は、今後、家庭電気製品等に代表される汎用機器にまで波及しようという趨勢にある。
移動通信システムに収容される移動機の数は、従前のようなユーザが携帯するものに限られず上述のように多数の自動販売機や汎用機器に組み込まれるものも出現している。
後者のように自動販売機等に組み込まれる移動機（従って、加入者）の数は飛躍的に増加する傾向を呈しており、現実にデータが流れるトラヒックの増加を遥かに凌駕するものとなることが予測に難くない。
【０００５】
即ち、昨今の移動通信システムにおいては、携帯電話機のように頻繁に移動して用いられ本来的に移動性の高い移動機のみならず、自動販売機等に組み込まれる移動機のように平生の運用ないし使用状態においては移動性が低く在圏の交換機が変更される蓋然性は極めて低いものも少なからず含まれ、且つ、後者の増加が顕著である。
しかしながら、従来の移動通信システムの運用に係る一般的な取り扱い（３ＧＰＰ勧告に準拠した移動通信システムにおける位置登録制御）では、各個の移動機毎の移動性の如何によらず、携帯電話機のように本来的に移動性の高いものに合わせて一律に決められた周期で位置登録を繰り返し実行するように運用していた。
【０００６】
従って、実際には殆ど移動することがない程に移動性が低い移動機が多数在圏することによって位置登録が過剰な頻度で行なわれ、無線リソースの割り当てが逼迫するといったことが懸念される。
今後予想されるユビキタス時代に向けて、移動通信システムに収容される移動機数の飛躍的増大に見合うように、各個の移動機における移動性の如何によらす、一律に位置登録を行なうことになると、現実にデータが流れる通信トラヒックを勘案したときには甚だ適切さを欠いた過剰な設備が要求されるといった事態を招来してしまうことになる。
【０００７】
尚、位置登録周期自体は、任意の値を周期タイマに設定することによって選択でき、また、この位置登録周期を当初の設定よりも後の時点で変更することも可能である。
移動機における位置登録周期を個別に設定し、或いは、変更することについては従来より種々の提案がなされている。
例えば、周期タイマで位置登録の周期を制御するに際して、位置登録の最短周期を一律に設定すると、本来は不要であるような位置登録処理が発生しシステム全体としての負荷が増大してしまうことを課題とする提案がある（特許文献１参照）。
【０００８】
この特許文献１では、過去２回の位置登録結果を比較して、該結果が悪化傾向を呈しない限り位置登録の周期を徐々に延長する一方、悪化傾向を呈する移動速度の速い子機（移動機）に関しては、正確な位置登録が行なえるまで位置登録周期を漸減させるといった技術が提案されている。
また、他の文献には、移動端末装置からの位置登録要求の実行頻度を低く抑えることによって消費電力を低減し、限られた電池容量で連続通話時間の長い移動端末装置を実現することが提案されている（特許文献２参照）。
【０００９】
更に、他の文献では、移動機の位置登録を行う位置登録エリアの大きさを変更した時の位置登録要求発生を低減するべく、位置登録エリアの広狭によって、位置登録要求頻度を変えることが開示されている（特許文献３参照）。
更にまた、他の文献には、ＨＬＲの位置情報復旧に際して、各基地局に位置登録要求を発行し、基地局から移動機に向け報知情報の周期的位置登録情報欄に位置登録実施要求情報を追加して送信し、該位置登録実施要求情報を受信した移動機が位置登録することが開示されている（特許文献４参照）。
【００１０】
この特許文献４には、位置登録処理が集中しないように、移動機を複数のグループに分け、グループ毎に順番に時間をずらせて位置登録させるようにすること、および、位置登録タイマ部に挿入する位置登録実施要求情報を利用して位置登録要求の周期を調整することが開示されている。
【特許文献１】特開平７−３０９６０号公報（要約、請求項１、段落００１５、段落００２８、段落００３４、段落００６０、段落００６６等）
【特許文献２】特開平１１−３４１５４５号公報（要約、段落０００７等）
【特許文献３】特開２００２−１４２２４３号公報（要約、段落００１４、段落００１５、段落００２４等）
【特許文献４】特開平１１−２３４７２９号公報（要約、段落００１２、段落００１３等）
【発明の開示】
【発明が解決しようとする課題】
【００１１】
しかしながら、上掲の何れの特許文献に開示された技術も、位置登録に係る周期を選択し、或いは、変更するものではあっても、現実には殆ど移動することのない移動機が多数在圏することによって位置登録が過剰な頻度で行なわれ、無線リソースの割り当てが逼迫するといった問題に対処しようとする課題認識は皆無である。
従って、当然ながら、位置登録が過剰な頻度で行なわれることによって無線リソースの割り当てが逼迫するといった問題に焦点を合わせた技術課題解決の方途については示唆が得られるものではない。
本発明は、上述のような状況に鑑みてなされたものであり、加入者（移動機）の増大によっても位置登録が過密に実行されて無線リソースの割り当てが逼迫するといったことがないようにして、移動通信システムにおける設備を増加せずに増大する加入者を賄い切れるようにした移動通信システム、位置登録周期規定ノード、移動機、および、移動通信の位置登録方法を提供することを目的とする。
【課題を解決するための手段】
【００１２】
上記課題を解決するべく、本願では次に列記するような技術を提案する。
即ち、本発明の移動通信システムは、加入者情報を管理する加入者情報管理装置と、前記加入者情報管理装置に保有される加入者情報に含まれる契約情報もしくは移動機情報および移動機に保有される移動機識別子に基づいて、前記移動機の移動性に従って、前記移動機の位置登録の周期を決定し該決定した位置登録の周期を規定する位置登録周期規定指令を該当する各移動機に供給する位置登録周期規定ノードと、を含むことを特徴とする。
【００１３】
上記のような移動通信システムでは、位置登録周期規定ノードが、加入者情報管理装置における加入者情報に含まれる契約情報もしくは移動機情報および移動機に保有される移動機識別子に基づいて、前記移動機の移動性に従って、在圏の移動機に適合した位置登録の周期を決定し、該決定した位置登録の周期を規定する位置登録周期規定指令を該当する各移動機に供給する。
加入者情報は、当該移動機を表す移動機情報および契約情報を含むものであり、従って、契約情報に基づいて移動機の位置登録周期の設定に資するような情報を認識することができる。
【００１４】
例えば、当該移動機が自動販売機に搭載されるため、現実には位置を移動させることなく用いられることが認識される場合もある。このような場合には、位置登録の周期を長く設定することに合理性があることになる。
一方、移動性については通常の携帯電話機等と同様であっても、位置登録の周期については通常よりも長めに設定して無線リソースの占有を軽減するに寄与する一方で課金その他の点で優遇されるような特例に該当する場合も、他の理由から、位置登録の周期を長く設定することに合理性があることになる。
上掲の例のように、加入者情報に含まれる契約情報もしくは移動機情報および移動機に保有される移動機識別子が、位置登録の周期決定の根拠に供され得る。
このため、種々の視点から当該移動機毎に適合した位置登録の周期を決定することができる。
【００１５】
また、本発明の移動通信システムにおいて、上述の位置登録周期規定ノードはＭＳＣ（Mobile Switching Center：移動通信交換局）にこの機能を持たせた態様を採ることができる。
この態様の移動通信システムでは、別途の装置を要することなく、ＭＳＣの一つの機能として移動機の位置登録周期を適切に設定することができる。
また、上記の加入者情報管理装置はＨＬＲ（Home Location Register）またはＶＬＲ（Visitor Location Register）である態様を採ることができる。
上記の態様を採る場合には、加入者情報を参照して位置登録の周期を決定するに際して、ＨＬＲまたはＶＬＲに保持されている加入者情報を通常のこの種の移動通信システムにおけるように取得し参照することができる。
【００１６】
更に、本発明の移動通信システムは、前記位置登録周期規定ノードを、加入者情報に含まれる契約情報もしくは移動機情報および移動機に保有される移動機識別子によって当該移動機の移動頻度が相対的に低いものとして規定されているときには位置登録の周期を相対的に長く規定するように前記位置登録周期規定指令を生成するようにした態様を採ることができる。
この態様の移動通信システムでは、加入者情報に含まれる契約情報もしくは移動機情報および移動機に保有される移動機識別子によって当該移動機の移動頻度が相対的に低いものとして規定されているときには、この移動機に係る位置登録の周期を相対的に長く規定するように前記位置登録周期規定指令生成するように構成することができる。
【００１７】
この場合は、移動する蓋然性が希薄な移動機にも頻繁に移動する移動機と一律な周期で位置登録を行なうような無駄を省いて、無線リソースの割り当てが逼迫するような状況を回避することができる。
一方、本発明の位置登録周期規定ノードは、所定の加入者情報管理装置で管理される加入者情報に含まれる契約情報もしくは移動機情報および移動機に保有される移動機識別子に基づいて該当する各移動機の位置登録の周期を決定する位置登録周期決定手段と、前記位置登録周期決定手段によって決定された位置登録周期を規定する位置登録規定指令を該当する各移動機に供給する位置登録規定指令供給手段と、を含むことを特徴とする。
【００１８】
上記の位置登録周期規定ノードでは、位置登録周期決定手段によって、所定の加入者情報管理装置で管理される加入者情報に含まれる契約情報もしくは移動機情報および移動機に保有される移動機識別子に基づいて該当する各移動機の位置登録の周期を決定する。
上述のようにして決定された位置登録周期を規定する位置登録規定指令を位置登録規定指令供給手段によって該当する各移動機に供給する。
移動機毎にその加入者情報に含まれる契約情報もしくは移動機情報および移動機に保有される移動機識別子に基づいて適切な位置登録の周期が設定され、これによって、移動する蓋然性が希薄な移動機にも頻繁に移動する移動機と一律な周期で位置登録を行なうような無駄を省いて、無線リソースの割り当てが逼迫するような状況を回避することができる。
【００１９】
また、上記の位置登録周期規定ノードは、ＭＳＣ（Mobile Switching Center）が上述のような位置登録の周期設定機能を有するような態様を採ることができる。
この態様の位置登録周期規定ノードでは、別途の装置を要することなく、ＭＳＣの一つの機能として移動機の位置登録周期を適切に設定することができる。
また、上記の位置登録周期規定ノードは、はＳＧＳＮ（Serving General packet radio service Support Node）が上述のような位置登録の周期設定機能を有するような態様を採ることができる。
【００２０】
この態様の位置登録周期規定ノードでは、別途の装置を要することなく、ＳＧＳＮの一つの機能として移動機の位置登録周期を適切に設定することができる。
また、上記の位置登録周期規定ノードは、前記位置登録周期決定手段を、前記加入者情報によって当該移動機の移動頻度が相対的に低いものとして規定されているときには位置登録の周期が相対的に長くなるように該周期を決定するように構成することができる。
上記構成の位置登録周期規定ノードによれば、各移動機毎にその加入者情報に含まれる契約情報もしくは移動機情報および移動機に保有される移動機識別子に基づいて適切な位置登録の周期が設定され、従って、移動する蓋然性が希薄な移動機についても、頻繁に移動する移動機と一律な周期で位置登録を行なうような無駄を省いて、無線リソースの割り当てが逼迫するような状況を回避することができる。
【００２１】
また一方、本発明の移動機は、所定の加入者情報に含まれる契約情報もしくは移動機情報および移動機に保有される移動機識別子に基づいて該当する各移動機の位置登録の周期を決定する位置登録周期決定手段と、前記位置登録周期決定手段によって決定された位置登録周期を規定する位置登録規定指令を該当する各移動機に供給する位置登録規定指令供給手段と、を含む上位ノードから位置登録の周期を規定する位置登録周期規定指令の供給を受けて該位置登録周期規定指令に応じて前記加入者情報に含まれる契約情報もしくは移動機情報および自機に保有される移動機識別子に対応した自機の位置登録実行周期をタイマに設定する位置登録被設定手段と、前記位置登録被設定手段により位置登録実行周期が設定されて以降、当該タイマに設定された、前記加入者情報に含まれる契約情報もしくは移動機情報および自機に保有される移動機識別子に対応した位置登録実行周期で、位置登録を実行する位置登録実行手段とを有することを特徴とする。
【００２２】
上記の移動機では、位置登録被設定手段が、所定の加入者情報に含まれる契約情報もしくは移動機情報および移動機に保有される移動機識別子に基づいて該当する各移動機の位置登録の周期を決定する位置登録周期決定手段と、前記位置登録周期決定手段によって決定された位置登録周期を規定する位置登録規定指令を該当する各移動機に供給する位置登録規定指令供給手段と、を含む例えばＭＳＣ等の上位ノードから位置登録の周期を規定する位置登録周期規定指令の供給を受けて、該位置登録周期規定指令に応じて前記加入者情報に含まれる契約情報もしくは移動機情報および自機に保有される移動機識別子に対応した自機の位置登録実行周期を設定する。
【００２３】
このように位置登録実行周期が設定されて以降、位置登録実行手段が、当該設定された前記加入者情報に含まれる契約情報もしくは移動機情報および自機に保有される移動機識別子に対応した位置登録実行周期で位置登録を実行する。
このため、上記の移動機において、上位ノードである例えばＭＳＣ等から設定された適切な周期で位置登録（位置登録要求信号を発信する動作）を行なうことができる。
従って、移動する蓋然性が希薄な移動機についても、頻繁に移動する移動機と一律な周期で位置登録を行なうような無駄を省いて、無線リソースの割り当てが逼迫するような状況を回避することができる。
【００２４】
他方、本発明の移動通信の位置登録方法は、該当する加入者情報に含まれる契約情報もしくは移動機情報および移動機に保有される移動機識別子に基づいて当該各移動機の位置登録実行周期を決定することを特徴とする。
上記移動通信の位置登録方法では、加入者情報に含まれる契約情報もしくは移動機情報および移動機に保有される移動機識別子に基づいて各個の移動機毎に当該各移動機の位置登録実行周期を決定する。
このため、移動する蓋然性が希薄な移動機についても、頻繁に移動する移動機と一律な周期で位置登録を行なうような無駄を省いて、無線リソースの割り当てが逼迫するような状況を回避することができる。
また、上記の移動通信の位置登録方法において、当該各移動機の位置登録実行周期の決定はＭＳＣ（Mobile Switching Center）において行なう態様を採ることができる。
この態様の移動通信の位置登録方法では、別途の装置を要することなく、ＭＳＣの一つの機能として移動機の位置登録周期を適切に設定することができる。
【発明の効果】
【００２５】
本発明によれば、加入者（移動機）の増大によっても位置登録が過密に実行されて無線リソースの割り当てが逼迫するといったことがないようにして、移動通信システムにおける設備を増加せずに増大する加入者を賄い切れるようにした移動通信システム、位置登録周期規定ノード、移動機、および、移動通信の位置登録方法が実現される。
【発明を実施するための最良の形態】
【００２６】
以下、図面を参照して本発明の実施の形態について詳述することにより本発明を明らかにする。
（本発明の移動通信システムの一の実施の形態）
図１は、本発明の実施の形態としての移動通信システムを表す概念図である。
図示の例における移動通信システム１０は、加入者情報を管理する加入者情報管理装置として何れも機能し得るＨＬＲ１０１およびＶＬＲ１０２、加入者情報管理装置１０１，１０２に保有される各個の移動機に対応する加入者情報に含まれる契約情報もしくは移動機情報、および、後述するように移動機に保有される移動機識別子（例えばＩＭＥＩ）に基づいて位置登録の周期を決定し該決定した位置登録の周期を規定する位置登録周期規定指令を該当する移動機３００に供給する位置登録周期規定ノードとしてのＭＳＣ２００を含んで構成されている。
【００２７】
ＭＳＣ２００から移動機３００への情報は、  ＭＳＣ２００の管轄下に置かれたＢＳＣ（Base Station Controller：基地局制御装置）２１０およびその下位に置かれたＢＴＳ（Base Transceiver Station：基地局）を経て、これ以降は無線の伝送を通して伝送される。
移動機３００には、携帯電話機３１０のように移動して用いられる頻度として認識されるモビリティ（以下、適宜、移動性という）の高いものがある一方、自動販売機５００に組み込まれた移動機３２０のように現実に移動する可能性は極めて低いものもある。
【００２８】
この移動通信システム１０では、位置登録周期規定ノードとしてのＭＳＣ２００が、加入者情報管理装置としてのＶＬＲ１０２における加入者情報に含まれる契約情報もしくは移動機情報、および、後述するように移動機に保有される移動機識別子に基づいて、在圏の当該移動機３００（３１０，３２０）に適合した位置登録の周期を決定し、該決定した位置登録の周期を規定する位置登録周期規定指令を該当する各移動機３１０，３２０に供給する。
このため、当該移動機（３１０，３２０）毎に適合した位置登録の周期を決定することができる。
【００２９】
上記態様の移動通信システム１０では、別途の装置を要することなく、ＭＳＣ２００の一つの機能として位置登録周期規定ノードとしての機能を充足するように構成し、移動機３００の位置登録周期を適切に設定することができる。
また、加入者情報管理装置としてのＨＬＲ１０１またはＶＬＲ１０２が保有している加入者情報に含まれる契約情報もしくは移動機情報、および、後述するように移動機に保有される移動機識別子を参照して位置登録の周期を決定するため、ＨＬＲ１０１またはＶＬＲ１０２における加入者情報を通常のこの種のシステムにおけるように利用して位置登録の周期決定のために供することができる。
【００３０】
尚、移動通信システム１０が３ＧＰＰ勧告に準拠した移動通信システムである場合には、ＨＬＲ１０１は加入者の原簿情報を管理する装置として設置され、一方、ＶＬＲ１０２はローカルに設置される加入者情報管理装置として機能する。
所謂ＶＬＲ方式では、該当する移動機に関する位置登録を契機に、この移動機が在圏する交換機毎（図１ではＭＳＣ）のＶＬＲに加入者情報をＨＬＲからダウンロード（即ち、上述の加入者原簿情報からコピー）し、移動機の位置情報と加入者情報を管理する。
【００３１】
既述のように、携帯電話機のような移動機は移動性が高く、移動に伴なう位置登録を頻繁に行なうことを要する状況にある。
これに対し、自動販売機や汎用機器に組み込まれた移動機では、平生の運用において所在位置が変更される蓋然性は極めて低く、従って、移動を契機とする位置登録の必要性は滅多に発生しない。
【００３２】
移動機における上述のような移動性の如何は、ＶＬＲ１０２が保有する加入者情報（従って、その源流たるＨＬＲ１０１が保有する加入者情報）に基づいて識別され得る。
従って、一つの考え方として、ＶＬＲ１０２やＨＬＲ１０１のような加入者情報管理装置が保有する加入者情報に含まれる契約情報もしくは移動機情報、および、後述するように移動機に保有される移動機識別子に基づいて、移動機の移動性の如何を判断し、この判断結果に応じて、当該移動機の移動性に見合った位置登録の周期を設定する。
【００３３】
上述のように、各移動機毎にその加入者情報に含まれる契約情報もしくは移動機情報、および、後述するように移動機に保有される移動機識別子に基づいて適切な位置登録の周期が設定され、従って、図１の移動機３２０のように移動する蓋然性が希薄な移動機についても、頻繁に移動する携帯電話機のような移動機３１０と一律な周期で位置登録を行なうような無駄を省いて、無線リソースの割り当てが逼迫するような状況を回避することができる。
尚、加入者情報は、当該移動機を表す移動機情報および契約情報を含むものであり、加入者情報に含まれる種々の事項が、位置登録の周期決定の根拠に供され得る。
【００３４】
例えば、加入者情報のうち上記の契約情報に依拠して当該移動機が自動販売機による物品販売事業者との契約によってＰＯＳ（Point Of Sales）情報の伝送に利用されることが認識されるような場合がある。
この場合には、図１を参照して既述のように、移動機３２０は自動販売機５００に内蔵して設置されるため、現実には位置を移動させることなく用いられることが加入者情報から認識される場合もある。このような場合には、位置登録の周期を長く設定することに合理性があることになる。
【００３５】
他方、加入者情報に含まれる契約情報もしくは移動機情報に基づいて、通常の携帯電話機と同様の仕様であり且つ移動性についても通常の携帯電話機等と同様であるような契約条件が規定されていることが判明した場合であっても、それだけで一律に通常の携帯電話機と同様の位置登録周期を設定することが妥当であるとは限らない。
例えば、位置登録の周期については通常の携帯電話機におけるよりも長めに設定して積極的に無線リソース側の負担軽減に寄与するようにし、その見返りとして課金その他の点で優遇するような特例が設けられる場合も想定し得るからである。
【００３６】
（本発明の位置登録周期規定ノードの実施の形態）
図２は、本発明の実施の形態としての位置登録周期規定ノードを表すブロック図である。
図２の実施の形態における位置登録周期規定ノードは図１を参照して既述の移動通信システム１０におけるＭＳＣ２００であり、システムコントローラ２０１がバス２０２を通してこのノードの次に述べる各部と結ばれ、これら各部がシステムコントローラ２０１によって統括的に管理されるように構成されている。
加入者情報管理装置としてのＶＬＲ２０３にＶＬＲ管理部２０４が結ばれ、このＶＬＲ管理部２０４によってＶＬＲ２０３に保持された情報が管理され、また、保持された情報が読み出されて利用に供される。
【００３７】
尚、図１におけるＶＬＲ１０２のようにこれをＭＳＣ２００の外部に設置するように構成してもよく、また、ＭＳＣ２００の内部にＶＬＲ設けるようにしてもよい。
上述のようにＶＬＲ２０３で保持および管理される加入者情報に含まれる契約情報もしくは移動機情報に基づいて該当する各移動機の位置登録の周期を決定する位置登録周期決定手段としての位置登録周期算定部２０５が設けられている。
また、位置登録周期算定部２０５によって決定された位置登録周期を規定する位置登録規定指令を該当する各移動機に供給する位置登録規定指令供給手段としての位置登録規定指令供給部２０６が設けられている。
【００３８】
更に、送受信の目的たる種々の情報を授受する信号送受信部２０７が設けられている。
この実施の形態の位置登録周期規定ノードとしてのＭＳＣ２００では、位置登録周期算定部２０５によってＶＬＲ２０３で管理される加入者情報に含まれる契約情報もしくは移動機情報に基づいて該当する各移動機の位置登録の周期を決定する。
この位置登録周期算定部２０５で決定された位置登録周期を規定する位置登録規定指令を、位置登録規定指令供給部２０６によって該当する各移動機に供給する。
【００３９】
図１を参照して信号の伝送経路が明らかなように、ＭＳＣ２００の位置登録周期算定部２０５から各移動機３１０，３２０への位置登録規定指令の供給は、ＢＳＣ２１０およびＢＴＳ２２０を経て行なわれる。
ＭＳＣ２００の上述のような作用によって、各移動機毎にその加入者情報に含まれる契約情報もしくは移動機情報に基づいて適切な位置登録の周期が設定され、従って、一つの実施の形態では、移動する蓋然性が希薄な移動機についても、頻繁に移動する移動機と一律な周期で位置登録を行なうような無駄を省いて、無線リソースの割り当てが逼迫するような状況を回避することができる。
また、ＭＳＣ２００自体が上述のような位置登録周期規定ノードとして機能するため、別途の装置を要することなく、移動機の位置登録周期を適切に設定することができる。
【００４０】
図１を参照して、移動通信システム１０について既述のように、ＭＳＣ２００（その位置登録周期算定部２０５）における位置登録周期の算定は、加入者情報に含まれる契約情報もしくは移動機情報、および、後述するように移動機に保有される移動機識別子に照らして、自動販売機５００に内蔵された移動機３２０のように、その移動頻度が相対的に低いものとして規定されているときには位置登録の周期が相対的に長くなるように該周期を決定するように構成することができる。
上述のような位置登録周期規定ノード（ＭＳＣ２００）によれば、各移動機毎にその加入者情報に含まれる契約情報もしくは移動機情報、および、後述するように移動機に保有される移動機識別子に基づいて適切な位置登録の周期が設定され、従って、移動する蓋然性が希薄な移動機についても、頻繁に移動する移動機と一律な周期で位置登録を行なうような無駄を省いて、無線リソースの割り当てが逼迫するような状況を回避することができる。
【００４１】
（本発明の移動機の実施の形態）
図３は、本発明の実施の形態としての移動機の構成を表すブロック図である。
図３の実施の形態における移動機は図１を参照して記述の移動機３００であって移動機３１０および移動機３２０とも本図のように機能別に観念したブロック図上では同様に構成されている。
この移動機３００は、システムコントローラ３０１によって各部が統括的に管理されるように構成されている。
移動通信における通信経路における無線区間の信号を授受するためにアンテナ３０２が接続されたＲＦ送受信部３０３が設けられ、このＲＦ送受信部３０３で受信された信号の中から、位置登録周期規定指令認識部３０４によって位置登録周期規定指令が分離され認識される。
【００４２】
位置登録周期規定指令認識部３０４によって分離され認識された位置登録周期規定指令に基づいて、位置登録周期設定タイマ部３０５が、位置登録周期規定指令に相応する位置登録の周期をタイマに設定する。
この位置登録周期設定タイマ部３０５のタイマによって規定される周期をもって、位置登録要求信号生成部３０６が位置登録要求信号を生成する。
このようにして生成された位置登録要求信号がＲＦ送受信部３０３からアンテナ３０２を通してＭＳＣ２００（直接にはＢＴＳ２２０）に向けて送出される。
一方、この移動機３００が携帯電話機３１０である場合には、音声通話やメールの授受のための操作や表示を行うため破線図示の操作・表示・音声入出力部３０７が設けられる。
【００４３】
上述の実施の形態としての移動機３００では、アンテナ３０２、ＲＦ送受信部３０３、位置登録周期規定指令認識部３０４、および、位置登録周期設定タイマ部３０５等によって、上位ノードから位置登録の周期を規定する位置登録周期規定指令の供給を受けて該位置登録周期規定指令に応じて自機の位置登録実行周期を設定する位置登録被設定手段が構成される。
また、位置登録周期設定タイマ部３０５、位置登録要求信号生成部３０６、ＲＦ送受信部３０３、および、アンテナ３０２等によって、位置登録被設定手段により位置登録実行周期が設定されて以降、当該設定された位置登録実行周期で位置登録（位置登録要求信号を発信する動作）を実行する位置登録実行手段が構成される。
【００４４】
上述の実施の形態としての移動機３００では、位置登録被設定手段（３０２，３０３，３０４，３０５）が、例えばＭＳＣ２００等の上位ノードから位置登録の周期を規定する位置登録周期規定指令の供給を受けて該位置登録周期規定指令に応じて自機の位置登録実行周期を設定する。
このように位置登録実行周期が設定されて以降、位置登録実行手段（３０５，３０６，３０３，３０２）が、当該設定された位置登録実行周期で位置登録を実行する。
【００４５】
本発明の移動機においては特に、所定の加入者情報に含まれる契約情報もしくは移動機情報、および、後述するように移動機に保有される移動機識別子（例えばＩＭＥＩ）に基づいて該当する各移動機の位置登録の周期を決定する位置登録周期決定手段と、この位置登録周期決定手段によって決定された位置登録周期を規定する位置登録規定指令を該当する各移動機に供給する位置登録規定指令供給手段と、を含む上位ノード（例えば、図１および２におけるＭＳＣ２００）から位置登録の周期を規定する位置登録周期規定指令の供給を受け、これが受信され、分離され、認識される。
【００４６】
位置登録周期規定指令認識部３０４によってＲＦ送受信部３０３の出力から分離され認識された上述の加入者情報に含まれる契約情報もしくは移動機情報、および、後述するように移動機に保有される移動機識別子に対応した位置登録周期規定指令に基づいて、位置登録周期設定タイマ部３０５が、位置登録周期規定指令に相応する位置登録の周期をタイマに設定する。
この結果、位置登録周期設定タイマ部３０５のタイマによって規定される上述のように加入者情報に含まれる契約情報もしくは移動機情報、および、後述するように移動機に保有される移動機識別子に対応した周期をもって、位置登録要求信号生成部３０６が位置登録要求信号を生成する。
このため、移動機３００において、ＭＳＣ２００等から設定された適切な周期で位置登録（位置登録要求信号の発信）を行なうことができる。
従って、移動する蓋然性が希薄な移動機についても、頻繁に移動する移動機と一律な周期で位置登録を行なうような無駄を省いて、無線リソースの割り当てが逼迫するような状況を回避することができる。
【００４７】
（本発明の移動通信システムの他の実施の形態）
図４は、本発明の他の実施の形態としての移動通信システムにおける通信シーケンスを示す図である。特に図４は、パケット通信における初回の位置登録処理に際して位置登録の実行周期を決定するシーケンスを示している。  
移動機（ＭＴ：Mobile Terminated）から在圏ノード（ＳＧＳＮ：Serving General packet radio service Support Node）に位置登録要求であるAttach Requestが送られる（ステップＳ４０１）。
【００４８】
ＳＧＳＮは加入者原簿情報管理装置たるＨＬＲ（Home Location Resister）に加入者の認証情報取得要求であるMAP_Send_Authentication_infoを送信する（ステップＳ４０２）。
ステップＳ４０２でのMAP_Send_Authentication_infoなる要求対する応答であるMAP_Send_Authentication_ackがあると（ステップＳ４０３）、ＭＴとＳＧＳＮ間で通信の秘匿処理（Security Function）が実行される（ステップＳ４０４）。
このSecurity Functionの処理過程でＳＧＳＮは国際移動機器識別子（ＩＭＥＩ：International Mobile Equipment Identity）データを取得する。
【００４９】
次いで、ＳＧＳＮはＨＬＲに対して該当する移動機に関する位置登録要求MAP_Update_GPRS Location Requestを送る（ステップＳ４０５）。
一方、ＨＬＲは加入者情報の取得要求であるMAP_Insert_SUBSCRIBER_Data  Request信号を送る（ステップＳ４０６）。
ステップＳ４０６のMAP_Insert_Subscriber_Data Requestに対しては、ＳＧＳＮからＨＬＲにMAP_Insert_Subscriber_Data_Responseが応答される（ステップＳ４０７）。
【００５０】
先のステップＳ４０５での位置登録要求MAP_Update_GPRS Location Requestに対しては、ＨＬＲからＳＧＳＮへの位置登録完了報告であるMAP_Update_GPRS Location_Responseが応答される（ステップＳ４０８）。
この段階で、ＳＧＳＮでは、ＩＭＥＩ、加入者情報等に基づいて、位置登録周期を決定する（ステップＳ４０９）。
次いで、ＳＧＳＮはステップＳ４０９で決定した位置登録周期を表す位置登録周期規定指令をＭＴに送出する（ステップＳ４１０）。
ＳＧＳＮはＭＴに対し位置登録完了報告であるAttach Acceptを発し（ステップＳ４１１）、ＭＴはＳＧＳＮに受信確認通知Attach Completeを返して呼の設定が確立する（ステップＳ４１２）。
【産業上の利用可能性】
【００５１】
本発明は、自動販売機に搭載された移動機のように移動する蓋然性が希薄な移動機についても、頻繁に移動する移動機と一律な周期で位置登録を行なうような無駄を省いて、無線リソースの効率的利用を図り、在圏移動機の増加に現状の設備で対処可能な移動通信システムの構築に利用することができる。
【図面の簡単な説明】
【００５２】
【図１】本発明の実施の形態としての移動通信システムを表す概念図である。
【図２】本発明の実施の形態としての位置登録周期規定ノードを表すブロック図である。
【図３】本発明の実施の形態としての移動機の構成を表すブロック図である。
【図４】本発明の実施の形態としての移動通信システムにおける通信シーケンス（初回の位置登録）を示す図である。
【符号の説明】
【００５３】
１０…移動通信システム
１０１…ＨＬＲ
１０２…ＶＬＲ
２００…ＭＳＣ
２０１…システムコントローラ
２０２…バス
２０３…ＶＬＲ
２０４…ＶＬＲ管理部
２０５…位置登録周期算定部
２０６…位置登録規定指令供給部
２０７…信号送受信部
２１０…ＢＳＣ
２２０…ＢＴＳ
３００，３１０，３２０…移動機
３０１…システムコントローラ
３０２…アンテナ
３０３…ＲＦ送受信部
３０４…位置登録周期規定指令認識部
３０５…位置登録周期設定タイマ部
３０６…位置登録信号生成部
３０７…操作・表示・音声・入出力部
５００…自動販売機
【図１】
0004538046.tif 000002
【図２】
0004538046.tif 000003
【図３】
0004538046.tif 000004
【図４】
0004538046.tif 000005